(57)【要約】      （修正有）【課題】無地の均等な厚みを有する光透過性フィルムにおいて生じた光透過性欠陥を透過型格子の歪から生成される有色濃淡画像により検出する欠陥検出方法を提供する。【解決手段】平面光源２０から均等な平面である透過型格子１８を通し光透過性フィルム１６に垂直に照射した光の光学情報を２次元撮像素子１３，１４で受光し画像データとして変換を行ない、その前期画像データを光透過性欠陥による幾何学的歪の光の屈折から拡散有色格子画素として生成し、前記拡散有色格子画素を有色濃淡画素情報の集合体として抽出して、多値化処理を行い、閾値を持った有色淡領域、閾値を持った有色濃領域及び明暗領域に分解し、その前記明暗領域から光透過性欠陥領域を抽出し欠陥検出を行うことを特徴とする欠陥検査方法。【選択図】図２
2015075483.tif 000002
【特許請求の範囲】
【請求項１】
光透過性フィルムの一方の面から基準透過型格子の２値化画像を照射し、光透過性フィルムの他方の面から透過光を受光し、光透過性欠陥の歪みから前記基準となる透過型格子の２値化領域を多値化から分割された有色濃淡領域として生成され前記有色濃淡領域の有色濃淡画素の集合体から、前記光透過性フィルムの透過率による前記有色及び無色領域を削除し欠陥の輪郭領域を抽出し多値画像データの欠陥領域として、欠陥画像データを検出することを特徴とする光透過性フィルムの欠陥検出方法。
【請求項２】
前記基準となる透過型格子の形状において、微細な欠陥検出を行う場合の光の波長に依存する回折現象により、黒色領域での収縮と無色領域での膨張との領域の比率を補正した前記基準となる透過型格子を特徴とする請求項１に記載の光透過性フィルムの欠陥検出方法。
【請求項３】
平面光源の拡散光を平行に設置された、前記基準透過型格子を通し前記光透過性フィルムに照射された光学画像を単独又は複数の２次元撮像素子で前記光学画像から画像データに変換することを特徴とする請求項１から２に記載の光透過性フィルムの欠陥検出方法。
【請求項４】
前記撮像方法において、２次元撮像素子で同一の前記画像データを単独又は複数取得し比較画像演算処理を施し前記光源照度のバラツキ、前記２次元撮像素子のバラツキ、前記有色濃淡領域のバラツキの影響を抑制し欠陥領域抽出を正確に行うことを特徴とする請求項１から３に記載の光透過性フィルムの欠陥検出方法。
【請求項５】
前記有色濃淡画素情報における光透過性欠陥領域の前記有色濃淡画素から画素を積算し画素単位の面積情報を乗算し前記光透過性欠陥領域の面積算出と前記有色濃淡画素の有色濃淡を平面又は立体形状に変換し分類することを特徴とする請求事項１から４に記載の光透過性フィルムの欠陥検査方法。
【請求項６】
前記基準となる透過型格子の大きさと解像度は検出すべき微細な欠陥領域の集合体である透過性欠陥の形状並びに寸法に依存し、前記有色領域の解像度は３ドット以上とし前記有色濃淡画素の集合体であるの総和が９ドット以上を欠陥とすることを特徴とする請求項１から５に記載の光透過性フィルムの欠陥検出方法。
【請求項７】
前記撮像方法は基準となる前記透過型格子に焦点を合わせ、前記平面光源と前記基準となる前記透過型格子と前記光透過性フィルムの距離により前記有色濃淡領域の拡大と縮小ことを特徴とする請求項１から６に記載の光透過性フィルムの欠陥検出方法。
【請求項８】
前記撮像方法の透過型格子に対し光透過性フィルムが静止、可変速度及び定速度で水平移動させることを特徴とする請求項１から７に記載する光透過性フィルムの欠陥検出方法。
【請求項９】
前記撮像方法の前記平面光源の光量が均等な光強度分布をもち垂直に照射された光の長短の波長帯域に依存することを特徴とする請求項１から８に記載の光透過性フィルムの欠陥検出方法。
【請求項１０】
前記撮像方法の前記有色濃淡画素は画像データのｘ、ｙの位置情報と時間情報及び識別し情報を付加し欠陥データとして保存することを特徴とする請求項１から９に記載の光透過性フィルムの欠陥検出方法。
【請求項１１】
前期透過型格子は、前記２次元撮像素子の解像度に応じた基準マークが表記することを特徴とする請求項１から１０に記載の光透過性フィルムの欠陥検出方法。
【発明の詳細な説明】
【技術分野】
【０００１】  本発明は機能フィルムの分野で光透過性フィルムの光学情報を画素データによる画像に変換し電子計算機による画像処理での数値演算により透過性欠陥の有無について検査するための検査装置に関するものである。
【背景技術】
【０００２】  光透過性フィルムにおける検査技術は、表面に存在する微小な欠陥を検出するために用いられており、人的資源による検査員の目視検査などが行われ、検査員の視覚による感覚に依存し、検査員の個人差、疲労、体調に依存し欠陥検出に誤差が生じて客観的で正確な検査を求められており、熟練検査員の経験と感覚及び能力に委ねられており、本発明の数値化して定量化した基準は存在しない。図１は、光透過性フィルムの光透過性欠陥を検出する従来の欠陥検査方法を示す説明図である。【０００３】  光透過性フィルムの自動化検査は、光を利用した画像処理検査の方法が有効でありこれまでにも多くの欠陥検査方法が提案されて、例えば１次元撮像素子で光源からの光を受光し光学情報を電気信号振幅情報に変換し前記電気信号の強弱から閾値を基準として欠陥検出を行っている。【０００４】図１に示すように、該欠陥検査方法では、照明のある環境下に、光透過性フィルムにおける光透過性欠陥を検査するための装置において、前記光透過性フィルムを置くべき箇所の後方に、画像装置が設置されており、前記光透過性フィルムの光学情報を電機信号に変換し電気信号の閾値から、光透過性フィルムに光透過性欠陥がある箇所を探し出すことができることを特徴とする。
【先行技術文献】
【特許文献】
【００００】
【特許文献１】特開２００４−１２４２３
【特許文献２】特許第３８９９９１５
【特許文献３】特開平７−２００５９
【発明の概要】
【発明が解決しようとする課題】
【０００５】１次元撮像素子では、指向性光源より透過性欠陥の影を検出するため欠陥の形状が指向性に依存するので正確な欠陥情報を検出するには複数の指向性を持った光源と前記光源に対応した１次元撮像素子も必要である。【０００６】対象物が移動する場合は前記１次元撮像素子の単位寸法辺りの走査と対象物の単位時間当たりの移動量を対象物の正確なアスペクト比が異なる。【０００７】２次元撮像素子での欠陥検出方法に関しては、微細な欠陥の厚み変化における幾何学的歪みより光の屈折を利用した多くの提案があり、光透過性フィルムの欠陥検出方法の提案として特許文献１に記載の発明のように基準画像と撮像画像の差分画像を２値化画像に変換し欠陥検出を行う方法であるが２値化画像の為、透過型欠陥の形状、面積等に微細な誤差が生じ正確な検出が困難である。【０００８】基準と比較して欠陥を検出する提案もあり、例えばテンプレートを利用しテンプレートマッチング法（以下ＰＭ法）を活用した特許文献２に記載の発明は局所の歪と基準テンプレートとの比較を行う欠陥検出方法であるが基準テンプレートとの相関値で比較する、基準テンプレートと実際の欠陥形状の間に微細な誤差が発生する。【０００９】基準格子の歪を検出する提案もあり、例えば特許文献３に記載の発明では、透明な製品の歪を検出する用途であるが、透明製品の歪と欠陥を検出する目的が異なり、被測定物を透過した場合と透過しない場合との比較により歪を測定しているが本発明の場合は中間の有色濃淡領域を測定の対象とすることを特徴としている。
【課題を解決するための手段】
【００１０】  以上の課題を解決する為に本発明は、上記従来技術の欠点を解決し、光透過性欠陥の形状に有色格子の２値化情報を与え、微細な欠陥の厚み変化における幾何学的歪みより光の屈折による多値化された有色濃淡情報の両極の値を削除して欠陥領域を抽出し欠陥を検出することを特徴としている。【００１１】抽出された有色濃淡画素情報は、２次元画素情報であり、その有色濃淡情報は、欠陥形状が有色濃淡情報に変換されており、この２次元画素情報を有色濃淡情報から３次元画素情報に変換し欠陥の立体的形状が抽出し分類することを特徴とする。【００１２】光透過性欠陥は有色濃淡画素情報から欠陥領域を抽出するため、有色濃淡画素情報と解像度から欠陥領域の面積値が求められ欠陥領域の数値化し定量化することを特徴とする。【００１３】光透過性欠陥は、有色濃淡画素領域として抽出され、この情報に、時間情報、位置情報を付加し、画像データの容量を削減することを特徴とする。【００１４】図１に示すように、上記目的を達成する為に本発明は、平面光源及び、透過型格子、２次元撮像素子、画像演算装置を用い、平面光源から照射された光が透過型格子を介し、光透過性フィルムを通過して２次元撮像素子に受光される。【００１５】光透過性フィルムを通し透過型格子の画像を撮像する撮像部は２次元撮像素子と光学レンズで構成され、また、前記２次元撮像素子と連接し、前記透過型格子を画像データに変換し画像演算装置により画像処理を行い、前記光透過性フィルムに光透過性欠陥がある箇所を探し出すことができることを特徴とする光透過性フィルムの欠陥検査装置を提供する。【００１６】  前記２次元撮像素子は、移動する光透過性フィルムを正確に撮影することができる露光時間及び、焦点距離調整機能と画像を受光した光学情報を画像データに変換する機能を有していることを特徴とする。【００１７】前記透過型格子には、均等に規則的に配置された格子又はハニカム形状で構成されており、図１に示すように、画前記透過型格子を構成する線幅の解像度は３ドット以上であり、光透過性フィルムの光透過性欠陥形状に対して格子又はハニカム形状の大きさは、６倍以上となることを特徴とする。【００１８】前記平面光源は、拡散照射光で前記撮像方法において光量が均等な光強度分布を持ち前記拡散照射光を基準となる光源とし安定前記透過型格子及び、光透過性フィルムに対して垂直に光を照射することを特徴とする。【００１９】  図５に示す様に、本発明の画像演算装置は、２次元撮像素子で受光した光学情報を画像データに変換し、有色濃淡領域の多値化数値の上位、下位の領域を排除しノイズ除去処理を行って光透過性欠陥とノイズを区別することを特徴とする。【００２０】  前記平面光源及び、基準透過型格子を通してみた光透過性フィルムの光透過性欠陥箇所が、透過光がもたらす幾何学的歪みの光の屈折により透過型格子を変形させ画像の有色濃淡画像を生成する。前記有色濃淡画像を利用して光透過性欠陥を検出することを特徴とする。
【発明の効果】
【００２１】  本発明は、光透過性フィルムにおける光透過性欠陥箇所の透過光がもたらす幾何学的歪みの光の屈折を平面光源と画像演算装置により精度よく検出することが可能であるため、透過型格子の受光した映像を画像データに変換し画像における光透過性欠陥箇所に、明らかな歪みを与えた有色濃淡画像部の光透過性欠陥を抽出し、従来よりも高い検出率を有する欠陥検査装置及び該装置を用いる欠陥検査方法を提供することができる。【００２２】  また、本発明は、透過光における欠陥の幾何学的歪みの光の屈折により検査を行うので、光透過性フィルムの表面形態だけでなく、表面形態を含む組織中の如何なる箇所にある光透過性欠陥をも検査することができる。【００２３】本発明は、視覚による感覚で行なっている目視検査にて、数値化による定量化を行う為、感覚による検査の基準を本発明により数値で示し明確な検査基準から官能検査で検査員を自動化機械への置換えが出来る。
【図面の簡単な説明】
【００２４】
【図１】従来の光透過性フィルムの欠陥検査方法を示す説明図である。
【図２】本発明の欠陥検査装置の構成を示す図である。
【図３】２値化された基準透過型格子を透過した多値化欠陥画像である。
【図４】多値化欠陥画像から２値化画像の滲みを除去した多値化欠陥画像である。
【図５】多値化欠陥画像を分散処理し欠陥濃淡画像を抽出した多値化欠陥画像である。
【図６】多値化欠陥画像からノイズ成分を除去した多値化欠陥画像である。
【発明を実施するための形態】
【００２５】  以下本発明の実施形態について説明、本発明はこれらの実施形態に限定されることは無く、本発明の趣旨の範囲内で修正、変更することができる。
【００２６】（実施環境の概要１）
本実施形態は、拡散型白色ＬＥＤ平面光源１９の放射光と基準透過格子１９により生成された、２値化画像を検査対象である光透過型フィルム１５に検査領域に照射し、２次元撮像素子で構成される撮像ユニット１３，１４の出力を撮像画像入力ユニット３１から画像データを入力し、画像演算ユニット３２で欠陥検出を行なう欠陥検出装置である。
【００２７】本発明の実施形態図２は欠陥検査装置３５の構成を示す正面図であり、本発明の欠陥検査装置３５は、拡散型白色ＬＥＤ平面光源１９及び基準透過型格子１７を用いて使用し、光透過性フィルム１６の真下に走行方向と平行となるように基準透過型格子１８を設置し、光透過性フィルム１６に垂直に光が照射するように拡散型白色ＬＥＤ平面光源２０を基準透過型格子１８の直下に設定される。
【００２８】欠陥検査装置３５では検査対象である、光透過性フィルム１６の搬送速度に同期した露光時間を設定し、拡散型白色ＬＥＤ平面光源２０は撮像ユニット１３の露光時間に同期した照射時間が設定される。複数の撮像ユニット１３、１４は光透過性フィルム１６の搬送方向と直交された位置に配置され、各々撮像領域を撮像ユニット１３、１４で分割した範囲を検出領域としている。
【００２９】本実施形態では光透過性フィルム１６は搬送方向に定速で移動する為、２次元領域の透過光を撮像ユニット１３，１４で受光し、光透過性フィルム１６の搬送方向の情報を画像データとして得る事が出来る。
【００３０】欠陥検査装置３５の画像データ処理部は撮像画像入力ユニット３１、画像演算ユニット３２、拡散型白色ＬＥＤ平面光源用制御電源ユニット３４で構成しており、以下の動作を実行する。撮像ユニット１３，１４の画像信号は撮像画像入力ユニット３１に入力され、画像データとして画像演算ユニット３２で画像演算処理を行うと共に、記憶ユニット３３に記憶される。撮像ユニット１３，１４の画像信号は光透過性フィルム１６の全幅方向における全幅を有し、光透過性フィルム１６の搬送方向における２次元領域の画像データとして記憶ユニット３３に記憶される。
【００３１】記憶ユニット３３に格納された画像データは撮像ユニット１３，１４で分割された光透過性フィルム１６の全幅方向における２次元画像データで、光透過性フィルム１６の２次元画像データは全幅方向である水平方向をＸ方向とし、２次元画像データの搬送方向であるＹ方向を垂直方向とした画像データとして扱われる。
【００３２】撮像ユニット１３，１４により光透過性フィルム１６の移動量に同期して露光時間が設定され、撮像画像入力ユニット３１に画像データとして入力される。記憶ユニット３３に記憶される２次元画像データは、撮像ユニット１３と撮像ユニット１４の各々の画像を分割画像としここの分割画像である２次元画像データは、統合画像データとして撮像ユニット１３の画像データ及び撮像ユニット１４の画像データとしてＸ方向に対し統合処理を行い合成される。
【００３３】分割画像は、光透過性フィルム１６の幅方向での画素集合体と光透過性フィルム１６の撮像ユニット１３，１４の解像度による搬送方向の画素集合体の２次元画像データであり光透過性フィルム１６における全幅の検査領域である撮像範囲が設定される。
【００３４】撮像ユニット１３、１４で２分割された、分割画像は各々個々に撮像画像入力ユニット３１に入力される。撮像ユニット１３、１４は光透過性フィルム１６の全幅での中心線に対し対称の撮像位置に配置され、規定の所定量の重なる領域で設定される。
【００３５】撮像ユニット１３、１４における検査領域での分割画像は重なる領域が存在し光透過性フィルム１６の全幅方向における検査領域を満たしている。基準となる所定量の重なる領域は、画像データより除去され分割画像に跨る欠陥画像を正確に求める事が出来る。
【００３６】撮像ユニット１３、１４における搬送方向であるＹ方向の画像データの各撮像ユニットの解像度と光透過性フィルム１６の移動量から撮像回数により分割し、撮像ユニット１３、１４における分割画面としてＹ方向での規定の所定量の重なる領域が確保される。この分割画像は、Ｘ方向、Ｙ方向の重なる領域を除去し統合処理されて統合画像データの２次元画像データして、画像演算ユニット３２で画像演算処理を行なう。
【００３７】２次元画像データは光透過性フィルム１６に対し、横方向の画素数Ｎ個、搬送方向の画素数Ｍ個の２次元画像データで、Ｘ方向がＮ画素、Ｙ方向がＭ画素で光透過性フィルム１６の検査領域の解像度であり、単位面積当たりの画素数で、欠陥検出精度が設定される。
【００３８】分割画像の２次元画像データは、２値化画像を光透過性フィルム１６に照射し撮像ユニット１３，１４により受光され、画像データとして撮像画像入力ユニット３１に多値化画像データとして記憶され、画像演算処理をされる。
【００３９】分割画像の多値化画像データは、基準透過型格子１８の２値化画像データと欠陥濃淡領域の多値化画像データが含まれており、２値化画像データの排除と欠陥濃淡領域の多値化画像データの抽出及び画像データのノイズ成分の削除を行なう。
【００４０】分割画像の多値化画像データは、画素情報を８ｂｉｔとすると２５６階調の値があり、２値化データは黒色値として０と無色値として２５５の値である。但し光透過性フィルム１６を光が透過する際に屈折による滲みが発生し２値化画像データが多値化しており、滲みによる歪で発生する多値化データを削除する為に閾値として黒色値領域０〜５０、無色値領域２００〜２５５を画像演算ユニット３２で除去すると、欠陥濃淡領域を含んだ多値化画像データが得られる。
【００４１】欠陥濃淡領域を含んだ多値化画像データは、多値化画像データのノイズ成分を含んでいるが、欠陥濃淡領域に対して十分に値が小さく、請求項５の欠陥濃淡領域の総和が９ドット以上の条件から８ドット以下の多値画像データを画像演算ユニット３２で比較演算することのよりノイズ成分を削除でき、欠陥検出領域の多値化画像データが得られる。
【００４２】抽出された、欠陥検出領域の多値化画像データは、２値化し正確な欠陥面積を求める為に分散処理を行って補正を掛け、２値化された画素を積算すれば欠陥検出面積が得られる。また抽出された、欠陥検出領域の多値化画像データは、濃淡領域による３次元画像情報を含むため、濃淡画素情報から欠陥の立体的形状の抽出を行なう。
【００４３】欠陥検査装置３５の実施形態では、撮像ユニット１３、１４と光透過性フィルム１６、基準透過型格子１８及び拡散型白色ＬＥＤ平面光源２０の調整機構と、光透過性フィルム駆動機構２２として、フィルム張力制御ユニット１７、駆動用搬送モータ２３、搬送モータ制御ユニット２４により欠陥検査装置３５が構成される。
【００４４】撮像ユニット１３、１４は、光学レンズユニット１１とで構成され、光学レンズ１１は撮影時の歪みが０．０３％で、Ｃマウント、２次元撮像素子１２は５００万画素のＣＣＤエリアセンサで、露光時間７５０分の１秒とし拡散型白色ＬＥＤ平面光源１９の照度に合わせ絞り値を最適化し設定する。光学レンズは焦点距離２５ｍｍを使用し各撮像ユニットの撮像範囲を設定し、基準透過型格子１８に焦点を合わせる。
【００４５】撮像ユニット１３、１４は調整軸機構１５により位置、距離、角度の調整機構により光透過型フィルム１６垂直に受光される様に設定され、撮像ユニット１３，１４から基準透過型格子１８までのワーキングディスタンスは、最適値として５００ｍｍとして設定される。
【００４６】光透過性フィルム１６は、多機能フィルムの分野でナイロン系、ポリエチレン系、ポリカ系、ポリマー系等様々な材質があり更に機能に合わせて多層化の複合フィルムとしての素材があり、本実施形態ではナイロン系の複合３層フィルムとする。
【００４７】  基準透過型格子１８の形状は、μｍ単位またはサブμｍ単位での微細な欠陥検出を行う場合、光の回折により収縮する黒色領域と膨張する無色領域を光の波長に合わせ領域の面積比率を補正する。基準透過型格子１８は黒色部が０．２７８ｍｍ、無色部を０．２７４ｍｍとし黒色部及び無色部の比率が不等比率で繰り返されるパターンとされる。本発明の実施形態では光源が拡散型白色ＬＥＤ平面光源２０であり光の波長として、赤、青、黄色の中間波長とする。有色光源の組合せ及び有色の単光源での欠陥検査装置３５を構成することも可能である。
【００４８】基準透過型格子１８は基準透過型格子調整軸機構１９により位置、距離、角度の調整機構により光透過型フィルム１６に水平に設定され基準透過型格子２３は光透過性フィルム１６と５０〜７０ｍｍの距離に保つように配置される。
【００４９】拡散型ＬＥＤ平面光源１９は、本発明の実施形態から、撮像ユニット１３の画素数と最小欠陥検出面積より欠陥検出領域として４００ｍｍ  ｘ  ３００ｍｍ以上の必要領域として、照明の光量を均等にする為、選別ＬＥＤ４０００個により構成され、拡散型白色ＬＥＤ平面光源用制御電源ユニット３４により拡散型白色ＬＥＤ平面光源２４の撮像ユニット１３の露光時間に同期したストロボ照明を用いる。
【００５０】拡散型白色ＬＥＤ平面光源２０は拡散型白色ＬＥＤ平面光源調整軸機構２１により位置、距離、角度の調整機構により光透過型フィルム１５に水平に設定される。
【００５１】光透過性フィルム１６は、フィルム張力制御ユニット１７で搬送方向の一定の張力により欠陥検出領域では２本の撮像部ローラーにより光透過性フィルム１６を平行に保たれ光透過性フィルム１６を歪、皺、振動が排除された均一面に保持する。
【００５２】光透過性フィルム駆動機構２２は、複数のローラーから構成され搬送路における撮像部の光透過性フィルム１６の平行度を確保しニップローラーによる駆動ローラーを有し光透過性フィルム１６の搬送を行なう。
【００５３】駆動用搬送モータ２３は駆動ローラーに接続され、駆動ローラーとニップローラーで挟み込まれた光透過性フィルム１６を搬送方向に定速度で、移動させ、任意の速度に保持できる。
【００５４】搬送モータ制御ユニット２４は、ロータリーエンコーダの信号からローラーの移動量を算出し、駆動用ローラーの速度駆動用搬送モータ２３の制御を行なう。
【実施例】
【００５５】  本発明の１実施例として共押出法によって成形された多層複合フィルムを検査対象光透過性フィルムとし、光透過性フィルム表面に発現した微細光透過性欠陥を、本発明のフィルム欠陥検査装置を用いて検査する。基準透過型格子１８と撮像ユニット１３、１４の光学レンズと光透過性フィルム１６までの距離であるワーキングディスタンスが５００〜７００ｍｍの範囲で調整し光透過性フィルム１６の真上に垂直に撮像ユニット１３、１４を設置し２次元撮像素子１２と連接していて、２次元撮像素子１２から前記映像信号を受信して基準透過型格子１８の映像を画像処理することができる画像演算装置２７を有している。【００５６】光透過性フィルム１６の移動速度を搬送モータ制御ユニット２４で分速５０ｍの一定速度に制御し、光透過性欠陥の大きさは、０．０５〜０．７０ｍｍ２までの擦り傷、ピンホール及びゲル状半溶解等の光透過型欠陥を欠陥検査対象とし実施した画像検査装置の構成を図２に示す。
【実施例１】
【００５７】  光透過性欠陥がある光透過性フィルム１６に対して、一方から拡散型白色ＬＥＤ平面光源２０の光を照射する。光透過性フィルム１６の真上に設置されている２次元撮像素子１２は基準透過型格子１８と光学レンズユニット１１の当該距離を基準とした、ワーキングディスタンスの規定距離に合わせ、光学レンズユニット１１の焦点距離を競ってし、２次元撮像素子１２で光透過性フィルム１６を撮影した。入力画像の上下左右に光学レンズユニット１１による歪みが発生するため、画像演算装置により画像補正を行い、撮影時に入力画像に発生するノイズを画像演算装置の平滑化画像処理によりノイズ除去処理を行った。【００５８】  上記実施例から、基準透過型格子１８の線の太さと２次元撮像素子１２及び光学レンズユニット１１の焦点距離や分解能により、検出精度が定まるため、最良の組合せを構成するのが好ましい。上記実施例では、走行速度分速５０ｍ、基準透過型格子１８の線の太さを０．２６〜０．３０ｍｍで設定し検証した。また、光透過性フィルム１６の走行速度はカメラの露光時間と拡散型白色ＬＥＤ平面光源の光度により精度が変化するため、走行速度に合った露光時間及び光度で構成し精度よく欠陥検出が可能であった。【００５９】  上記のように、本発明の欠陥検出方法は、光透過性欠陥箇所に発生する微細な欠陥の厚み変化における幾何学的歪みより光の異常屈折を利用するので、光透過性フィルム１６の表明形態だけでなく、表面下における光透過性欠陥及び箇所を容易に探し出すことができるので、従来の装置及び方法より検出率が高い上、産業上の利用性も遥かに広い。
【符号の説明】
【００６０】１１  光学レンズユニット
１２  ２次元撮像素子
１３  撮像ユニット１
１４  撮像ユニット２
１５  調整軸機構１，２
１６  光透過性フィルム
１７  フィルム張力制御ユニット
１８  基準透過型格子
１９  基準透過型格子調整機構
２０  拡散型白色ＬＥＤ平面光源
２１  拡散型白色ＬＥＤ平面光源調整機構
２２  光透過性フィルム駆動機構
２３  駆動用搬送モータ
２４  搬送モータ制御ユニット
３１  撮像画像入力ユニット
３２  画像演算ユニット
３３  記憶ユニット
３４  拡散型白色ＬＥＤ平面光源用制御電源ユニット
３５  欠陥検査装置
【図１】
2015075483.tif 000003
【図２】
2015075483.tif 000004
【図３】
2015075483.tif 000005
【図４】
2015075483.tif 000006
【図５】
2015075483.tif 000007
【図６】
2015075483.tif 000008